(57)【特許請求の範囲】
【請求項１】
戸本体に形成した開口部にパネルを装着した戸であって、
開口部の少なくとも一辺に沿って取付けるエッジ部材と、パネルの縁部に取付けるパネル保持部材を備え、
エッジ部材は、開口部内周側に開放した溝部を長手方向にわたって有し、
パネル保持部材は、エッジ部材の溝部に収容可能な大きさであると共に、パネルの縁部を固定する保持溝と、エッジ部材の溝部の底面及び両側内面に夫々当接する当接部を有し、  エッジ部材の溝部とパネルとの間にパネル両面側に連通する通気路を設けたことを特徴とする戸。
【請求項２】
当接部が、エッジ部材の溝部の底面に当接する脚片と、同溝部の両側の内面に夫々当接する支持片であることを特徴とする請求項１に記載の戸。
【請求項３】
パネル保持部材は、エッジ部材の長手方向の長さよりも短いものであり、パネル保持部材が位置しない部分を通気路としたことを特徴とする請求項１又は２に記載の戸。
【請求項４】
エッジ部材に対して複数のパネル保持部材を所定間隔で配置してあり、パネル保持部材が位置しない部分を通気路としたことを特徴とする請求項３に記載の戸。
【請求項５】
パネル保持部材が、当接部を部分的に切除した切欠部を有し、エッジ部材の溝部とパネルとの間において、パネル保持部材の切欠部を通気路としたことを特徴とする請求項１又は２に記載の戸。
【請求項６】
戸本体が、戸尻側戸部材と戸先側戸部材を備えると共に、両戸部材の間に開口部を形成しており、両戸部材の少なくとも一方に、開口部の竪辺に沿うエッジ部材を設けたことを特徴とする請求項１〜５のいずれか１項に記載の戸。
【発明の詳細な説明】
【技術分野】
【０００１】
本発明は、建築物に用いられる戸に関し、とくに、採光及び通風の両機能を備えた戸の改良に関するものである。
【背景技術】
【０００２】
一般に、採光機能を備えた戸は、戸本体に開口部を形成し、その開口部に透光性を有するガラス等のパネルを装着した構造である。また、近年では、例えばシックハウス症候群の原因である揮発性成分の滞留を防ぐ対策として、換気経路となる室内戸には一定量の有効換気面積を確保する必要があり、採光機能を有する戸にも同様の通風機能が要求されている。
【０００３】
従来において、採光及び通風の両機能を有する戸としては、戸本体に開口部を形成し、戸両面又は片面に、開口部を覆うようにして透光性薄板を着脱可能に設けると共に、透光性薄板と戸本体表面との間に隙間を設けたものがあった（特許文献１参照）。
【特許文献１】特開２００７−５１４９４号公報
【発明の開示】
【発明が解決しようとする課題】
【０００４】
しかしながら、上記したような従来の戸にあっては、戸本体の開口部を覆うように透光性薄板を設けて、戸本体と透光性薄板との間に隙間を形成する構造であったため、通風用の隙間が戸の外側に露出した状態となって、外観体裁を損なう虞があるという問題点があり、このような問題点を解決することが課題であった。
【０００５】
本発明は、上記従来の課題に着目して成されたものであって、開口部にパネルを装着した戸において、外観体裁が良好であるうえに、簡単な構造で充分な通風機能を得ることができる戸を提供することを目的としている。
【課題を解決するための手段】
【０００６】
本発明の戸は、請求項１として、戸本体に形成した開口部にパネルを装着した戸であって、開口部の少なくとも一辺に沿って取付けるエッジ部材と、パネルの縁部に取付けるパネル保持部材を備え、エッジ部材は、開口部内周側に開放した溝部を長手方向にわたって有し、パネル保持部材は、エッジ部材の溝部に収容可能な大きさであると共に、パネルの縁部を固定する保持溝と、エッジ部材の溝部の底面及び両側内面に夫々当接する当接部を有し、エッジ部材の溝部とパネルとの間にパネル両面側に連通する通気路を設けた構成としており、上記構成をもって従来の課題を解決するための手段としている。
【０００７】
また、本発明の戸は、請求項２として、当接部が、エッジ部材の溝部の底面に当接する脚片と、同溝部の両側の内面に夫々当接する支持片であることを特徴とし、請求項３として、パネル保持部材は、エッジ部材の長手方向の長さよりも短いものであり、パネル保持部材が位置しない部分を通気路としたことを特徴とし、請求項４として、エッジ部材に対して複数のパネル保持部材を所定間隔で配置してあり、パネル保持部材が位置しない部分を通気路としたことを特徴とし、請求項５として、パネル保持部材が、当接部を部分的に切除した切欠部を有し、パネル保持部材の切欠部を通気路としたことを特徴とし、請求項６として、戸本体が、戸尻側戸部材と戸先側戸部材を備えると共に、両戸部材の間に開口部を形成しており、両戸部材の少なくとも一方に、開口部の竪辺に沿うエッジ部材を設けたことを特徴としている。
【発明の効果】
【０００８】
本発明の請求項１に係わる戸は、開口部に装着したパネルによる採光機能を有すると共に、エッジ部材によりパネル保持部材や通気路を隠蔽して、非常に良好な外観体裁を得ることができるうえに、エッジ部材及びパネル保持部材による簡単な構造でありながら充分な通風機能を得ることができる。
【０００９】
本発明の請求項２に係わる戸は、請求項１と同等の効果を得ることができるうえに、当接部として脚片及び支持片を採用したことにより、エッジ部材の溝部とパネルとの間の距離を充分に確保して、充分な大きさの通気路を容易に形成することができ、通風機能のさらなる向上に貢献することができる。
【００１０】
本発明の請求項３に係わる戸は、請求項１及び２と同等の効果を得ることができるうえに、エッジ部材よりも短いパネル保持部材を用いて、パネル保持部材が位置しない部分を通気路としたことから、より簡単な構造で充分な通風機能を容易に得ることができる。
【００１１】
本発明の請求項４に係わる戸は、請求項３と同等の効果を得ることができるうえに、複数のパネル保持部材を用いて、パネル保持部材が位置しない部分を通気路としたことから、通気路を任意の位置に容易に設定することができ、設計の自由度も高いものとなる。
【００１２】
本発明の請求項５に係わる戸は、請求項１及び２と同等の効果を得ることができるうえに、当接部に切欠部を形成して、切欠部を通気路としたことから、パネルの縁部をより強固の保持することができると共に、パネル保持部材の単一化により組み立て作業性の容易化などを実現することができる。
【００１３】
本発明の請求項６に係わる戸は、請求項１〜５と同等の効果を得ることができるうえに、戸本体を戸尻側戸部材と戸先側戸部材とで構成し、両戸部材の間に開口部を形成してエッジ部材を設けることから、戸の上下方向にわたる大きな範囲に通気路を設けることができ、空気よりも軽い揮発性成分の換気等に非常に優れたものとなる。
【発明を実施するための最良の形態】
【００１４】
以下、図面に基づいて、本発明の戸の一実施形態を説明する。
図５に示す戸１は、図中左側の戸先側戸部材２Ａと図中右側の戸尻側戸部材２Ｂとで戸本体２を構成すると共に、両戸部材２Ａ，２Ｂの間に、竪に細長い矩形状の開口部３を形成し、この開口部３に透光性を有するガラス等のパネル４を装着した構造を有している。両戸部材２Ａ，２Ｂは、開口部３を形成する見込み面に、パネル４の嵌合溝５，５を有している。
【００１５】
戸１は、図１に示すように、建物躯体Ａの開口部に固定した上下左右の戸枠Ｄ１〜Ｄ４内に組み込まれると共に、竪の一方の戸枠Ｄ４にヒンジＨにより回動自在に連結して、建物躯体Ａの開口部を開閉する。すなわち、この実施形態の戸１は回動式のドアである。
【００１６】
上記の戸１は、戸先側戸部材２Ａの開口部３の竪辺に沿って取付けるエッジ部材６と、パネル４の縁部に取付けるパネル保持部材７を備えている。
【００１７】
エッジ部材６は、図２にも示すように、戸先側戸部材２Ａの竪辺全長に対応する長尺部材であって、その長手方向にわたって、開口部３側に開放した断面コ字形状の溝部６ａと、戸先側戸部材２Ａの嵌合溝５に嵌合する嵌合突部６ｂを有している。
【００１８】
この実施形態のパネル保持部材７は、エッジ部材６の長手方向の長さ寸法よりも明らかに短い長さ寸法を有する部材であって、とくに図１（ａ）に示すように、開口部３の上側及び下側に設けてある。このパネル保持部材７は、概略Ｈ形の断面形状を有すると共に、エッジ部材６の溝部６ａに収容可能な大きさであって、パネル４の縁部を固定する保持溝７ａと、エッジ部材６の溝部６ａの底面（断面上での底面）及び両側内面に夫々当接する当接部を有している。
【００１９】
この実施形態のパネル保持部材７は、当接部として、保持溝７ａの底部に連続し且つエッジ部材６の溝部６の底面に当接する一対の脚片７ｂ，７ｂと、保持溝７ａの開口部両端に夫々連続し且つ同溝部６ａの両側内面に夫々当接する保持片７ｃ，７ｃを一体的に有している。
【００２０】
上記のエッジ部材６は、戸先側戸部材２Ａの嵌合溝５に嵌合突部６ｂを嵌合し、後記する上側パネル保持具１１の取付けに伴って上下端部を固定する。また、パネル保持部材７は、エッジ部材６の溝部６ａに嵌合し、保持溝７ａの底部に通したねじ８をエッジ部材６に螺着することで固定してあり、この状態でパネル４の縁部を保持する。なお、パネル４の反対側の縁部は、戸尻側戸部材２Ｂの嵌合溝５で保持する。
【００２１】
そして、戸１は、図３に示すように、エッジ部材６の溝部６ａとパネル４との間に、パネル両面側に連通する通気路９を設けており、この実施形態では、エッジ部材６の長さよりも明らかに短いパネル保持部材７を開口部３の上側及び下側に配置することにより、パネル保持部材７が位置しない部分、すなわち溝部６ａとパネル４との間の空所部分を通気路９としている。
【００２２】
さらに、戸１は、図６（ａ）（ｂ）に示すように、両戸部材２Ａ，２Ｂの上面に、開口部３側にも開放した凹部１５，１５を形成し、この凹部１５，１５内に、両戸部材２Ａ，２Ｂに跨ってパネル４の上側縁部を保持する上側パネル保持具１１を設けている。この際、上側パネル保持具１１を複数のねじ１２で両戸部材２Ａ，２Ｂに固定すると共に、上側パネル保持具１１に通した別のねじ１３をエッジ部材６に螺着して、同エッジ部材６をも固定している。そして、図６（ｂ）（ｃ）に示すように、上側パネル保持具１１にカバー材１４を被着する。
【００２３】
上記の如く凹部１５，１５内に上側パネル材１１及びカバー材１４を固定すると、両戸部材２Ａ，２Ｂの上面とカバー材１４上面とが同一面状に連なる状態になり、カバー材１４が外側から見えることは無い。なお、図示を省略したが、両戸部材２Ａ，２Ｂの下端にも、同様の下側パネル保持具及びカバー材を固定する。これにより、両戸部材２Ａ，２Ｂを充分な強度で連結すると共に、開口部３内にパネル４を確実に保持して、戸本体２及びパネル４を戸１として一体化する。
【００２４】
上記構成を備えた戸１は、パネル４による採光機能を有するのは勿論であるうえに、エッジ部材６及びパネル保持部材７による簡単な構造でありながら、通気路９によって換気のための通風機能を得ることができ、しかも、エッジ部材６によりパネル保持部材６や通気路９を全て隠蔽し、且つ通気路９の出入り口を目立たないものにして、非常に良好な外観体裁を得ることができる。
【００２５】
また、この実施形態の戸１は、戸本体２が、戸尻側戸部材２Ａと戸先側戸部材２Ｂを備えると共に、両戸部材２Ａ，２Ｂの間に戸上下にわたる開口部３を形成し、エッジ部材６の長さよりも明らかに短いパネル保持部材７を用いると共に、複数（二つ）のパネル保持部材７を上下に間隔をおいて配置して、パネル保持部材７の非介在部分を通気路９としているので、より簡単な構造で戸１の上下方向にわたる大きな範囲に通気路９を設けることができ、より充分な通風機能を得ることができる。
【００２６】
とくに、シックハウス症候群の原因である揮発性成分の比重は空気よりも軽いため、戸１において、上下方向にわたる大きな範囲に通気路９を設けることは、揮発性成分の換気に非常に有効である。
【００２７】
さらに、この実施形態の戸１は、パネル保持部材７が、当接部として、エッジ部材６の溝部６ａの底面に当接する脚片７ｂ，７ｂと、同溝部６ａの両側の内面に夫々当接する支持片７ｃ，７ｃを備えたものとしているので、エッジ部材６の溝部６ａとパネル４との間の距離を充分に確保して、充分な大きさの通気路９を容易に形成することができる。
【００２８】
図４は、本発明の戸の他の実施形態を説明する図である。
この実施形態では、パネル保持部材７が、エッジ部材６のほぼ全長に対応するものとなっている。そして、パネル保持部材７の当接部すなわち脚片７ｂ及び支持片７ｃ（図２参照）を部分的に切除して切欠部１０を形成し、エッジ部材６の溝部６ａとパネル４との間において、切欠部１０によりパネル両面側に連通する通気路９を形成している。
【００２９】
切欠部１０は、パネル保持部材７の長手方向において、脚片７ｂ及び支持片７ｃを同じ位置で切除して形成しても良いし、脚片７ｂ及び支持片７ｃを互いにずれた位置で切除して形成しても良い。
【００３０】
上記構成を備えた戸は、パネル保持部材７における切欠部１０の位置を選択することで、任意の位置に通気路９を容易に形成することができると共に、パネル４の竪辺全体をより強固に保持することが可能となり、また、パネル保持部材６の単一化によって組み立て作業も容易となる。
【００３１】
本発明の戸は、その構成が上記各実施形態に限定されるものではなく、回動式ドアだけでなく、引き戸などの各種の戸に適用可能であって、各部材の形状などを変更することができる。また、上記実施形態では、戸本体２が戸先側戸部材２Ａと戸尻側戸部材２Ｂから成ると共に、戸先側戸部材２Ａの上側及び下側にエッジ部材６を設けた構成を例示したが、エッジ部材６の長さよりも短いパネル保持部材７を一本用いて、その上下に通気路９を形成しても良いし、両戸部材２Ａ，２Ｂにエッジ部材６及びパネル保持部材７を夫々配置しても良い。
【００３２】
さらに、パネル保持部材の当接部は、例えば、溝部６ａの底面及び両側内面に当接する一対の断面Ｌ形脚片や、同底面及び両側内面に当接する一個の断面Ｔ形脚片としても良く、この場合には支持片の無い構成にすることも可能である。また、当接部は、片以外の構成としてはブロック状のものでも良い。さらに、開口部３は、三角形状、四角形状及びそれ以上の多角形状などの各種形状であっても良く、少なくとも一辺にエッジ部材６及びパネル保持部材７を配置する。
【図面の簡単な説明】
【００３３】
【図１】本発明の戸の一実施形態を説明する垂直断面図（ａ）及び水平断面図（ｂ）である。
【図２】エッジ部材及びパネル保持部材の部分を拡大した水平断面図である。
【図３】通気路の部分を拡大した水平断面図である。
【図４】本発明の戸の他の実施形態を説明する図であって、通気路の部分を拡大した水平断面図である。
【図５】戸を説明する正面図である。
【図６】戸の上端部分を説明する図であって、カバー材被着前の状態を示す平面図（ａ）、カバー材被着後の状態を示す正面図（ｂ）及び垂直断面図（ｃ）である。
【符号の説明】
【００３４】
１      戸
２      戸本体
２Ａ    戸先側戸部材
２Ｂ    戸尻側戸部材
３      開口部
４      パネル
６      エッジ部材
７      パネル保持部材
６ａ    溝部
７ａ    保持溝
７ｂ    脚片（当接部）
７ｃ    支持片（当接部）
９      通気路
１０    切欠部
【図１】
0004937183.tif 000002
【図２】
0004937183.tif 000003
【図３】
0004937183.tif 000004
【図４】
0004937183.tif 000005
【図５】
0004937183.tif 000006
【図６】
0004937183.tif 000007